(57)【特許請求の範囲】
【請求項１】
容器本体と蓋体とをそれぞれの後端縁部で開閉自在に連結してなる化粧料容器において、該容器本体内に凹部を形成し、該凹部内に交換皿を着脱自在に装着し、該凹部を画成する外周壁の一部に空隙を介して下方に屈曲可能な、かつ外方に可撓変形可能な可撓壁を一体形成するとともに、該交換皿の外面と該可撓壁の内面との間に、該交換皿を該凹部内に係合保持する係合手段を形成し、さらに該可撓壁に、押圧されて該可撓壁を変形させ該係合手段を解除する解除手段を一体的に形成したことを特徴とする化粧料容器。
【発明の詳細な説明】
【０００１】
【産業上の利用分野】
本発明は、化粧料容器に関するもので、より具体的には、容器本体と蓋体とをそれぞれの後端縁部で開閉自在に連結してなる化粧料容器に関するものである。
【０００２】
【従来の技術】
従来、この種の化粧料容器においては、化粧料を充填した化粧皿を容器本体内に着脱自在に収納固定するために、実開平２−１０１０号公報に示されるような容器が公知となっている。この公知のコンパクトケースでは、器体と蓋体とが蝶番により開閉自在に蝶着され、器体内に収納凹所が形成され、ここに化粧料を収納した化粧料カートリッジが係合されている。この化粧料カートリッジの前端部には、支持片が前方に突出して形成され、一方、後端部には、保持片が下方に垂下して形成され、それぞれ収納凹所に係合可能になっている。また、器体内の化粧料カートリッジの後方部にはリフィールボタンが上下動自在に形成されている。このリフィールボタンの上端部には、押上片が立設されており、リフィールボタンを器体内に装着した状態では、押圧部が容器本体の下面から露出した状態で、押上片の上端部は化粧皿の保持片の下端部に当接している。そして、器体の下面からリフィールボタンを上方に押圧すると押上片の上端部が保持片の下端部を押上げ、これにより器体と化粧料カートリッジの保持片との係合が解除され、さらに化粧料カートリッジの前端部の支持片との係合も解除され、器体から化粧料カートリッジを取り出すことができるようになっている。
【０００３】
また、実開平３−１１９３１２号公報に示されるようなコンパクト容器では、コンパクト基台と蓋体とが蝶番により開閉自在に蝶着され、コンパクト基台内に収納凹所が形成され、ここに化粧料を充填した取り替え可能な中皿が係合している。コンパクト基台内にはガイド部が設けられ、このガイド部に沿って押しボタン部が上下動自在に設けられている。押しボタン部は、コンパクト基台の上端部から底部付近まで下方に延出し、さらに屈曲部を介してその先端部上面が中皿の下面に当接し、押し上げアームを形成している。また、コンパクト基台の底面には段部が設けられ、押しボタン部を押し下げた時、この段部の上面に押し上げアームの中程が当接するようになっている。さらに、中皿の外周面には係合突部が形成され、一方、押し上げアームの上面には突片が立設され、その先端部には中皿の係合突部と係合可能な係合突部が形成されている。そして、押しボタン部を上方から押し下げると、押し上げアームの中程が段部に当接し、屈曲部を介して先端部が上昇して中皿の底部を押上げ、これにより突片が外方に撓んでコンパクト基台と中皿との係合が解除され、中皿を取り出すことができるようになっている。
【０００４】
【発明が解決しようとする課題】
しかしながら、かかる上記従来の化粧料容器にあっては、器体やコンパクト基台と、取り替え用の化粧料カートリッジや中皿との係合を解除するために、リフィールボタンや押しボタン部などの部品が別に必要であり、構造が複雑であるとともに、部品点数が多く、組付工程も複雑で、コストも高くなるといった問題点があった。
【０００５】
また、従来の化粧料カートリッジや中皿は、係合を解除する構造を形成するために器体やコンパクト基台と化粧料カートリッジや中皿との間に比較的広い空隙を設けなければならず、化粧料容器の大型化あるいは化粧料カートリッジや中皿を小さくしなければならないという問題があった。
【０００６】
本発明は係る従来の問題に鑑みてなされたもので、その目的は、容器本体内に交換皿を容易にかつ確実に装着することができ、一方、衝撃によって交換皿が偶発的に外れたりするおそれがない化粧料容器を提供することにある。さらに、容器本体と交換皿との係合を解除するための別途の組付部品が不要で、従って低コストで製造性がよく、また、無駄な空隙を極力排し、スペースを有効に活用できる化粧料容器を提供することにある。
【０００７】
【課題を解決するための手段】
かかる目的を達成するために本発明に係る化粧料容器では、容器本体と蓋体とをそれぞれの後端縁部で開閉自在に連結してなる化粧料容器において、容器本体内に凹部を形成し、凹部内に交換皿を着脱自在に装着し、凹部を画成する外周壁の一部に空隙を介して下方に屈曲可能な、かつ外方に可撓変形可能な可撓壁を一体形成するとともに、交換皿の外面と可撓壁の内面との間に、交換皿を凹部内に係合保持する係合手段を形成し、さらに可撓壁に、押圧されてこの可撓壁を変形させ係合手段を解除する解除手段を一体的に形成したことを特徴とする。
【０００８】
【作用】
上記構成を有する本発明の化粧料容器によれば、容器本体に形成した可撓壁の内面と交換皿の外面との間に形成した係合手段がこれら両者を互いに係合させて、交換皿が凹部内に係合保持される。そして、蓋体を開放した状態で解除手段を押圧すると、可撓壁は空隙を介して若干外方に可撓変形しつつ下方に屈曲し、これにより交換皿と可撓壁との係合が解除され、交換皿が凹部から取り出され、新しい交換皿と取り換えることができる。
【０００９】
【実施例】
以下、本発明の好適な実施例を図に基づいて詳細に説明する。図１ないし図６は、本発明の第１実施例に係る化粧料容器を示す。本実施例は基本的には、容器本体２０と蓋体１０とをそれぞれの後端縁部で開閉自在に連結してなる化粧料容器において、容器本体２０内に凹部２３を形成し、凹部２３内に交換皿４０を着脱自在に装着し、凹部２３を画成する外周壁の一部に空隙２８を介して下方に屈曲可能な、かつ外方に可撓変形可能な可撓壁２９を一体形成するとともに、交換皿４０の外面と可撓壁２９の内面との間に、交換皿４０を凹部２３内に係合保持する係合手段としての第１の係合突部３１及び第２の係合突部４８を形成し、さらに可撓壁２９に、押圧されてこの可撓壁２９を変形させ第１及び第２の係合突部３１，４８の係合を解除する解除手段たる押圧部３４を一体的に形成して構成されている。
【００１０】
本実施例の化粧料容器は、図１および図２に示されるように蓋体１０，容器本体２０および交換皿４０より構成されている。蓋体１０は、容器本体２０とそれぞれの後端縁部で蝶番ピン１６によって開閉自在に枢着されている。蓋体１０の内面には鏡１１が接着され、前端縁部には爪片１２が垂下形成されている。また、爪片１２の下端内面には、第１の係合突起１３が一体的に形成されている。さらに、蓋体１０の後方中央部にはブロック体１４が垂下形成され、ブロック体１４の両側面には蝶番ピン挿通孔１５が穿設されている。
【００１１】
容器本体２０の前端部には切欠凹所２１が形成され、その奥面には蓋体１０の第１の係合突起１３と係合可能な第２の係合突起２２が形成されている。また、容器本体２０の上面には、交換皿４０を収納する凹部２３が形成されている。さらに、容器本体２０の後端中央部には、切欠凹所２４が形成され、その両側端が蝶番片２５，２５となっている。この蝶番片２５，２５には、蝶番ピン挿通孔２６，２６が穿設され、蝶番ピン１６によって蓋体１０と開閉自在に蝶着されている。
【００１２】
さらにまた、凹部２３を画成し、容器本体２０の周壁を構成する後壁２７は、略Ｌ字状に切欠され、ここに空隙２８により下方に屈曲可能で、かつ外方に可撓変形可能な可撓壁２９が形成されている。
【００１３】
本実施例では、可撓壁２９は一端が固定された、左右方向に延長するレバー状に形成され、自由端部３０は外方に若干可撓変形可能となっている。また、可撓壁２９の自由端部３０内面下方には、本実施例の係合手段を構成する第１の係合突部３１が形成されている。この第１の係合突部３１の上方部および下方部は傾斜面となっている。さらに、容器本体２０の周壁を構成する前壁３２の内面には、係合溝３３が形成されている。さらにまた、可撓壁２９の自由端部３０上端面は、上方に突出して形成され、交換皿４０の凹部２３に対する係合を解除する解除手段を構成する押圧部３４が形成されている。
【００１４】
交換皿４０は、容器本体２０の凹部２３内に収納可能な形状で、上面に化粧料を収納する複数の凹所４１，４１および筆等の化粧具を収納する凹所４２が形成されている。また、交換皿４０の周壁上端部には、これより外方に向かって水平に延出した鍔部４３が一体的に形成され、その端部は容器本体２０の凹部２３の周壁上端部を覆っている。さらに、この鍔部４３の前端中央部には容器本体２０の切欠凹所２１に対応する切欠凹所４４が形成され、後端中央部には容器本体２０の切欠凹所２４に対応する切欠凹所４５が形成されている。さらにまた、切欠凹所４５の側部側の鍔部４３は切欠され、切欠部４６が形成されている。
【００１５】
交換皿４０の切欠部４６の下方の後端壁４７外面には、可撓壁２９の第１の係合突部３１と係合して、係合手段を構成する第２の係合突部４８が形成され、この第２の係合突部４８の上方部および下方部は傾斜面となっている。さらに、交換皿４０の前端壁４９外面には、容器本体２０の係合溝３３と係合する係合突条５０が形成され、その下方部は傾斜面となっている。
【００１６】
上記のような構成の交換皿４０を水平に容器本体２０の凹部２３内に上方から略水平に押し込むと、図３に示されるように、可撓壁２９の自由端部３０が外方に若干可撓変形することにより、交換皿４０の前端壁４９外面の係合突条５０は係合溝３３と係合し、同時に後端壁４７外面の第２の係合突部４８は可撓壁２９の第１の係合突部３１の傾斜面を乗り越えて係合し、可撓壁２９の変形が元に戻ることにより交換皿４０は凹部２３内に収納固定される。
【００１７】
上記のようにして交換皿４０を容器本体２０に組み付けた後、容器本体２０と枢着された蓋体１０を閉じると、蓋体１０の第１の係合突起１３と容器本体２０の第２の係合突起２２とが係合し、蓋体１０は図２に示す閉止位置を占める。この際、可撓壁２９は左右方向に水平に位置し、その下方には空隙２８が形成され、押圧部３４の上端部は交換皿４０の切欠部４６から突出している。
【００１８】
一方、上記のように固定された交換皿４０を外す場合は、図４に示すように、蓋体１０を開放して、可撓壁２９の押圧部３４を下方に押圧すると、可撓壁２９の自由端部３０が下方に押し下げられる。そして、第１の係合突部３１は傾斜面を介して交換皿４０の第２の係合突部４８を乗り越え、これにより外方に若干可撓変形する。
【００１９】
さらに、図５に示されるように、第１の係合突部３１は傾斜面を介して交換皿４０の第２の係合突部４８の下方に押し下げられると、可撓壁２９の弾発力により上昇した自由端部３０により交換皿４０は図６に示されるように上方に押し上げられ、これにより前端壁４９の係合突条５０も係合溝３３から離脱して交換皿４０は後方上方部へ抜き出される。
【００２０】
このように、本実施例の化粧料容器によれば、容器本体２０と交換皿４０との係合および解除のための別部品が不要であり、従って構造が簡単で製造性が良く、低コストで生産することができる。
【００２１】
容器本体２０と交換皿４０との係合を解除する際には、蓋体１０を開放した後、容器本体２０の可撓壁２９の押圧部３４を下方に押圧するだけで、可撓壁２９が屈曲及び可撓変形し、交換皿４０を容易に解除することができ、優れた脱着性を確保することができる。一方、装着する際には新しい化粧料や筆等の化粧具を収納した交換皿４０を上方から挿入するだけで、可撓壁２９が空隙２８により屈曲変形するとともに外方へ若干可撓変形し、交換皿４０の前端壁４９外面の係合突条５０と係合溝３３、および後端壁４７外面の第２の係合突部４８と可撓壁２９の第１の係合突部３１とが確実に係合し、衝撃によって交換皿４０が偶発的に外れたりするおそれがない。このように、本実施例では、交換皿４０の装着および離脱をバランスよく行うことができる。
【００２２】
また、この実施例のように交換皿４０には化粧料を収納する凹所４１のみならず筆等の化粧具を収納する凹所４２が一体に設けられており、化粧料のみならず化粧具も一緒に交換することができる。
【００２３】
図７は、本発明の第２実施例に係る化粧料容器を示す。この実施例では、蓋体１０ａの後方中央部に垂下形成されたブロック体１４ａの内面に、容器本体２０ａの可撓壁２９ａ内面の第１の係合突部３１ａが形成された自由端部３０ａ外面に対応する位置に位置させて、ストッパ１７が突出形成されている。そして、このストッパ１７は、蓋体１０ａを閉止することで交換皿４０ａの後端壁４７ａ外面の第２の係合突部４８ａに対する可撓壁２９ａの第１の係合突部３１ａの移動を阻止して、より確実に係合保持させる。なお、その他の構成並びに作用は上記第１実施例の場合と同様である。
【００２４】
図８は、本発明の第３実施例に係る化粧料容器を示す。この実施例では、可撓壁２９ｂ内面の第１の係合突部３１ｂが形成された自由端部３０ｂの外面に、ストッパ３５が突出形成されている。そして、このストッパ３５により、蓋体１０ｂを閉止すると交換皿４０ｂの後端壁４７ｂ外面の第２の係合突部４８ｂは、可撓壁２９ｂの第１の係合突部３１ｂと、より確実に係合保持される。なお、その他の構成並びに作用は上記第１実施例の場合と同様である。
【００２５】
図９は、本発明の第４実施例に係る化粧料容器を示す。この実施例では、容器本体２０ｃの周壁を構成する後壁に形成された可撓壁２９ｃは、内外に貫通する左右方向に延長する横長の空隙２８ｃを有して下方に屈曲可能で、かつ外方に可撓変形可能に形成されている。この可撓壁２９ｃは、空隙２８ｃの中央部が両端部より狭く形成されていて、中央部に後述する第１の係合突部３１ｃの形成エリアを十分に確保しつつ、両端部が肉薄で屈曲・可撓変形させ易くなっている。また、可撓壁２９ｃの中央部内面には、第１の係合突部３１ｃが形成されている。さらに、可撓壁２９ｃの中央部上端面は上方に突出して形成され、ここに押圧部３４ｃが形成されている。なお、その他の構成並びに作用は上記第１実施例の場合と同様である。
【００２６】
図１０は、本発明の第５実施例に係る化粧料容器を示す。この実施例では、容器本体２０ｄの周壁を構成する後壁に形成された可撓壁２９ｄは、内外に貫通する左右方向に延長する横長の空隙２８ｄを有して下方に屈曲可能で、かつ外方に可撓変形可能に形成されている。また、可撓壁２９ｄの中央部内面には、第１の係合突部３１ｄが形成されている。さらに、可撓壁２９ｄの中央部上端面は上方に突出して形成され、ここに押圧部３４ｄが形成されている。さらにまた、可撓壁２９ｄの上端面は、押圧部３４ｄに向かって左右から延出された突片３６，３６によって被覆され、突片３６により押圧部３４ｄを下方に押圧した際に可撓壁２９ｄが空隙２８ｄに撓む状態が見えないように被覆されている。なお、その他の構成並びに作用は上記第１実施例の場合と同様である。
【００２７】
図１１および図１２は、本発明の第６実施例に係る化粧料容器を示す。この実施例では、容器本体２０ｅの上面には、交換皿４０ｅを収納する凹部３７および筆等の化粧具を収納する凹部３８が形成されている。また、容器本体２０ｅの後端中央部には、切欠凹所２４ｅが形成され、その両側端が蝶番片２５ｅ，２５ｅとなっている。この蝶番片２５ｅ，２５ｅには、蝶番ピン挿通孔２６ｅ，２６ｅが穿設され、蝶番ピン１６ｅによって蓋体１０ｅと開閉自在に蝶着されている。さらにまた、凹部３７および凹部３８を画成する隔壁３９は、略Ｌ字状に切欠され、ここに空隙２８ｅを有して下方に屈曲可能で、かつ外方に可撓変形可能な可撓壁２９ｅが形成されている。
【００２８】
本実施例では、可撓壁２９ｅは一端が連結された、左右方向に延長するレバー状に形成され、自由端部３０ｅは外方に若干可撓変形可能となっている。また、可撓壁２９ｅの自由端部３０ｅ内面には、本実施例の係合手段を構成する第１の係合突部３１ｅが形成されている。この第１の係合突部３１ｅの上方部および下方部は傾斜面となっている。さらに、容器本体２０ｅの周壁を構成する後壁２７ｅの内面には、係合溝３３ｅが形成されている。さらにまた、可撓壁２９ｅの自由端部３０ｅ上端面は、上方に突出して形成され、交換皿４０ｅの凹部３７に対する係合を解除する解除手段を構成する押圧部３４ｅが形成されている。
【００２９】
交換皿４０ｅは、容器本体２０ｅの凹部３７内に収納可能な形状で、上面に化料を収納する複数の凹所４６，４６が形成されている。また、交換皿４０の前端壁４９ｅ外面には、可撓壁２９ｅの第１の係合突部３１ｅと係合して、係合手段を構成する第２の係合突部４８ｅが形成され、この第２の係合突部４８ｅの上方部および下方部は傾斜面となっている。さらに、後端壁４７ｅ外面には、容器本体２０の係合溝３３ｅと係合する係合突条５０ｅが形成され、その下方部は傾斜面となっている。
【００３０】
上記のような構成の交換皿４０ｅを水平に容器本体２０ｅの凹部３７内に上方から押し込むと、図１２に示されるように可撓壁２９ｅの自由端部３０ｅが外方に若干可撓変形することにより、交換皿４０ｅの後端壁４７ｅ外面の係合突条５０ｅは係合溝３３ｅと係合し、同時に前端壁４９ｅ外面の第２の係合突部４８ｅは可撓壁２９ｅの第１の係合突部３１ｅと傾斜面を介して乗り越えて係合し、これにより交換皿４０ｅは凹部３７内に収納固定される。なお、その他の構成並びに作用は上記第１実施例の場合と同様である。
【００３１】
【発明の効果】
以上のように、本発明に係る化粧料容器では、容器本体と蓋体とをそれぞれの後端縁部で開閉自在に連結してなる化粧料容器において、容器本体内に凹部を形成し、凹部内に交換皿を着脱自在に装着し、凹部を画成する外周壁の一部に空隙を介して下方に屈曲可能な、かつ外方に可撓変形可能な可撓壁を一体形成するとともに、交換皿の外面と可撓壁の内面との間に、交換皿を凹部内に係合保持する係合手段を形成し、さらに可撓壁に、押圧されて可撓壁を変形させ係合手段を解除する解除手段を一体的に形成したことを特徴とするので、容器本体と交換皿との係合を解除する際には、蓋体を開放した後、容器本体の解除手段を押圧するだけで、可撓壁が空隙により変形し、係合手段を容易に解除することができ、交換皿の優れた脱着性を確保することができる。
【００３２】
一方、装着する際には交換皿を上方から挿入するだけで、可撓壁が空隙により変形して係合手段が確実に係合し、衝撃によって交換皿が偶発的に外れたりするおそれがない。
【００３３】
このように、本発明では、交換皿の装着および離脱をバランスよく行うことができ、容器本体と交換皿との係合および解除のための別部品が不要であり、従って構造が簡単で製造性が良く、低コストで生産することができる。
【００３４】
また、容器本体と交換皿との間に無駄な空隙も極力排することができるので、スペースを有効に活用できる。
【図面の簡単な説明】
【図１】本発明の第１実施例に係る化粧料容器の要部分解斜視図である。
【図２】本発明の第１実施例に係る化粧料容器の縦断面図である。
【図３】本発明の第１実施例に係る化粧料容器の要部縦断面図および要部背面図である。
【図４】本発明の第１実施例に係る化粧料容器の可撓壁の押圧部を押圧し、係合突部が乗り越える状態を示す要部縦断面図および要部背面図である。
【図５】本発明の第１実施例に係る化粧料容器の可撓壁の押圧部をさらに押圧し、係合突部が乗り越え終った状態を示す要部縦断面図および要部背面図である。
【図６】本発明の第１実施例に係る化粧料容器の交換皿が押し上げられた状態を示す要部縦断面図および要部背面図である。
【図７】本発明の第２実施例に係る化粧料容器の要部縦断面図である。
【図８】本発明の第３実施例に係る化粧料容器の要部縦断面図である。
【図９】本発明の第４実施例に係る可撓壁の要部背面図である。
【図１０】本発明の第５実施例に係る可撓壁の要部背面図である。
【図１１】本発明の第６実施例に係る化粧料容器の要部分解斜視図である。
【図１２】本発明の第６実施例に係る化粧料容器の縦断面図である。
【符号の説明】
１０，１０ａ，１０ｂ，１０ｅ  蓋体
２０，２０ａ，２０ｂ，２０ｅ  容器本体
２３，２３ａ，２３ｂ，３７  凹部
２８，２８ａ，２８ｂ，２８ｃ，２８ｄ，２８ｅ  空隙
２９，２９ａ，２９ｂ，２９ｃ，２９ｄ，２９ｅ  可撓壁
３４，３４ａ，３４ｂ，３４ｃ，３４ｄ，３４ｅ  押圧部
４０，４０ａ，４０ｂ，４０ｄ  交換皿
【図１】
0003590113.tif 000002
【図２】
0003590113.tif 000003
【図３】
0003590113.tif 000004
【図４】
0003590113.tif 000005
【図５】
0003590113.tif 000006
【図６】
0003590113.tif 000007
【図７】
0003590113.tif 000008
【図８】
0003590113.tif 000009
【図９】
0003590113.tif 000010
【図１０】
0003590113.tif 000011
【図１１】
0003590113.tif 000012
【図１２】
0003590113.tif 000013